(57)【要約】【課題】光検出部において受光量が十分に得られないことに起因して検出不良が起こるのを抑制することが可能なプロジェクタを提供する。【解決手段】このプロジェクタユニット１００（プロジェクタ）は、画像を投影する投影部１０と、投影部１０により画像が投影される表示ボタン部２０と、表示ボタン部２０の押圧方向側（Ｐ方向側）に配置されるとともに、表示ボタン部２０において検出対象物９０により反射された光を検出する光検出部４０とを備える。表示ボタン部２０は、表示ボタン部２０に一体的に形成されるとともに、検出対象物９０により反射された光が光検出部４０に向かう方向とは異なる方向に向かうことを抑制して、検出対象物９０により反射された光を光検出部４０に導くための光方向制御部２３を含む。【選択図】図４
2015152791.tif 000002
【特許請求の範囲】
【請求項１】
画像を投影する投影部と、
前記投影部により画像が投影される表示ボタン部と、
前記表示ボタン部の押圧方向側に配置されるとともに、前記表示ボタン部において検出対象物により反射された光を検出する光検出部とを備え、
前記表示ボタン部は、前記表示ボタン部に一体的に形成されるとともに、前記検出対象物により反射された光が前記光検出部に向かう方向とは異なる方向に向かうことを抑制して、前記検出対象物により反射された光を前記光検出部に導くための光方向制御部を含む、プロジェクタ。
【請求項２】
前記表示ボタン部の前記光方向制御部は、前記検出対象物により反射された光を反射して、前記検出対象物により反射された光を前記光検出部に導く反射面を有する、請求項１に記載のプロジェクタ。
【請求項３】
前記表示ボタン部は、前記反射面を有する前記光方向制御部に加えて、前記検出対象物により押圧されるとともに、前記投影部により投影される画像を視認可能なように透光性を有する透光性押圧部をさらに含む、請求項２に記載のプロジェクタ。
【請求項４】
前記表示ボタン部は、前記検出対象物により押圧されることにより押圧方向に移動するように構成されており、
前記表示ボタン部の前記光方向制御部は、前記光検出部の配置される押圧方向側に向かって延びるように形成されている、請求項１〜３のいずれか１項に記載のプロジェクタ。
【請求項５】
前記表示ボタン部は、押圧方向に沿って延びるように形成されるとともに、押圧方向への移動をガイドするための押圧ガイド部をさらに含み、
前記表示ボタン部の前記光方向制御部は、前記押圧ガイド部と一体的に形成されるとともに、前記押圧ガイド部から押圧方向側に向かって延びるように形成されている、請求項４に記載のプロジェクタ。
【請求項６】
前記表示ボタン部の前記光方向制御部は、前記光検出部の配置される押圧方向側に向かって延びるとともに、平面視で前記光検出部を囲う周状に形成されている、請求項１〜５のいずれか１項に記載のプロジェクタ。
【請求項７】
周状の前記光方向制御部は、前記光検出部の配置される押圧方向側に向かって先細るテーパ状に形成されている、請求項６に記載のプロジェクタ。
【請求項８】
周状の前記光方向制御部は、少なくとも一部が前記光検出部近傍まで延びるように形成されている、請求項６または７に記載のプロジェクタ。
【請求項９】
周状の前記光方向制御部は、前記光検出部の配置される押圧方向側に向かって先細るテーパ状に形成されるテーパ部と、前記テーパ部の先端側において前記光検出部近傍まで略一定の幅で延びるように形成される先端部とを有する、請求項６〜８のいずれか１項に記載のプロジェクタ。
【請求項１０】
前記表示ボタン部を位置決めするとともに、前記表示ボタン部を保持するための保持部をさらに備え、
前記表示ボタン部は、前記検出対象物により押圧されることにより押圧方向に移動するように構成されており、
前記表示ボタン部は、前記表示ボタン部に一体的に形成されるとともに、前記保持部と嵌合することにより前記保持部に対して位置決めされるための嵌合部をさらに含む、請求項１〜９のいずれか１項に記載のプロジェクタ。
【請求項１１】
前記表示ボタン部が押圧方向に移動される前の押圧待機状態において、前記光検出部による検出結果に基づいて前記検出対象物の画像上の検出位置を検出するように構成されており、
前記表示ボタン部は、前記表示ボタン部の押圧状態において位置決めされることなく、前記押圧待機状態において、前記保持部と前記嵌合部とが嵌合することにより前記保持部に対して位置決めされるように構成されている、請求項１０に記載のプロジェクタ。
【発明の詳細な説明】
【技術分野】
【０００１】
この発明は、プロジェクタに関し、特に、検出対象物により反射された光を検出する光検出部を備えるプロジェクタに関する。
【背景技術】
【０００２】
従来、検出対象物により反射された光を検出する光検出部を備えるプロジェクタが知られている（たとえば、特許文献１参照）。
【０００３】
上記特許文献１には、投影面に画像を投影する投影ユニットと、投影面に対して参照光を照射する参照光照射ユニットと、投影面に投影された画像の一部を指し示す物体（検出対象物）により反射された参照光を撮像する（検出する）撮像部（光検出部）とを備えるプロジェクタが開示されている。
【先行技術文献】
【特許文献】
【０００４】
【特許文献１】特開２０１３−１２０５８６号公報
【発明の概要】
【発明が解決しようとする課題】
【０００５】
しかしながら、上記特許文献１に記載のプロジェクタでは、物体により反射された参照光のうち、撮像部に向かう参照光はごく一部であるため、撮像部において参照光の受光量が十分に得られないことに起因して、検出不良が起こってしまうという問題点があった。
【０００６】
この発明は、上記のような課題を解決するためになされたものであり、この発明の１つの目的は、光検出部において受光量が十分に得られないことに起因して検出不良が起こるのを抑制することが可能なプロジェクタを提供することである。
【課題を解決するための手段】
【０００７】
この発明の一の局面によるプロジェクタは、画像を投影する投影部と、投影部により画像が投影される表示ボタン部と、表示ボタン部の押圧方向側に配置されるとともに、表示ボタン部において検出対象物により反射された光を検出する光検出部とを備え、表示ボタン部は、表示ボタン部に一体的に形成されるとともに、検出対象物により反射された光が光検出部に向かう方向とは異なる方向に向かうことを抑制して、検出対象物により反射された光を光検出部に導くための光方向制御部を含む。
【０００８】
この発明の一の局面によるプロジェクタでは、上記のように、検出対象物により反射された光が光検出部に向かう方向とは異なる方向に向かうことを抑制して、検出対象物により反射された光を光検出部に導くための光方向制御部を表示ボタン部に一体的に形成することによって、投影部により画像が投影される表示ボタン部に一体的に形成した光方向制御部を利用して、プロジェクタの部品点数が増加することを抑制しながら、検出対象物により反射された光が光検出部に向かう方向とは異なる方向に向かうことを抑制することができる。その結果、検出対象物により反射された光を光検出部に導くことができるので、検出対象物により反射された光のうち光検出部により受光される光の割合を増加させることができる。これにより、光検出部において受光量が十分に得られないことに起因して、検出不良が起こるのを抑制することができる。
【０００９】
上記一の局面によるプロジェクタにおいて、好ましくは、表示ボタン部の光方向制御部は、検出対象物により反射された光を反射して、検出対象物により反射された光を光検出部に導く反射面を有する。このように構成すれば、光方向制御部の反射面において検出対象物により反射された光を反射させるだけで、検出対象物により反射された光を光検出部に導くことができるので、レンズなどの光学部材を別途用いて光を導く構成と異なり、簡素な構成で検出対象物により反射された光のうち光検出部により受光される光の割合を増加させることができる。
【００１０】
この場合、好ましくは、表示ボタン部は、反射面を有する光方向制御部に加えて、検出対象物により押圧されるとともに、投影部により投影される画像を視認可能なように透光性を有する透光性押圧部をさらに含む。このように構成すれば、光方向制御部と透光性押圧部とが一体的に設けられた表示ボタン部により、部品点数が増加するのを抑制しながら、表示ボタン部の光方向制御部では、反射面において検出対象物により反射された光を反射させて光を光検出部に導くことができるとともに、表示ボタン部の透光性押圧部では、投影部により投影される画像を形成する光を透光させて、透光性を有する透光性押圧部を介して画像をユーザに対して容易に視認させることができる。
【００１１】
上記一の局面によるプロジェクタにおいて、好ましくは、表示ボタン部は、検出対象物により押圧されることにより押圧方向に移動するように構成されており、表示ボタン部の光方向制御部は、光検出部の配置される押圧方向側に向かって延びるように形成されている。このように構成すれば、光方向制御部が光検出部の配置される押圧方向側に向かって延びる分、検出対象物により反射された光が光検出部に向かう方向とは異なる方向に向かうことを確実に抑制することができるので、検出対象物により反射された光を光検出部に確実に導くことができる。
【００１２】
この場合、好ましくは、表示ボタン部は、押圧方向に沿って延びるように形成されるとともに、押圧方向への移動をガイドするための押圧ガイド部をさらに含み、表示ボタン部の光方向制御部は、押圧ガイド部と一体的に形成されるとともに、押圧ガイド部から押圧方向側に向かって延びるように形成されている。このように構成すれば、押圧方向に沿って延びるように形成される押圧ガイド部から、光方向制御部がさらに押圧方向側に延びる分、検出対象物により反射された光が光検出部に向かう方向とは異なる方向に向かうことをより広範囲に抑制することができるので、検出対象物により反射された光を光検出部により確実に導くことができる。
【００１３】
上記一の局面によるプロジェクタにおいて、好ましくは、表示ボタン部の光方向制御部は、光検出部の配置される押圧方向側に向かって延びるとともに、平面視で光検出部を囲う周状に形成されている。このように構成すれば、光検出部が平面視で周状に囲われていない場合と比べて、検出対象物により反射された光が光検出部に向かう方向とは異なる方向に向かうことを確実に抑制することができる。その結果、検出対象物により反射された光を光検出部側に確実に導くことができるので、検出対象物により反射された光のうち光検出部により受光される光の割合を確実に増加させることができる。
【００１４】
この場合、好ましくは、周状の光方向制御部は、光検出部の配置される押圧方向側に向かって先細るテーパ状に形成されている。このように構成すれば、光検出部の配置される押圧方向側において光方向制御部の外周縁を小さくすることができるので、検出対象物により反射された光が光検出部に向かう方向とは異なる方向に向かうことをより確実に抑制することができる。したがって、検出対象物により反射された光を光検出部側により確実に導くことができるので、検出対象物により反射された光のうち光検出部により受光される光の割合をより確実に増加させることができる。
【００１５】
上記光検出部を囲う周状に光方向制御部が形成される構成において、好ましくは、周状の光方向制御部は、少なくとも一部が光検出部近傍まで延びるように形成されている。このように構成すれば、光方向制御部の少なくとも一部が光検出部近傍まで延びる分、検出対象物により反射された光を光検出部側により一層確実に導くことができる。
【００１６】
上記光検出部を囲う周状に光方向制御部が形成される構成において、好ましくは、周状の光方向制御部は、光検出部の配置される押圧方向側に向かって先細るテーパ状に形成されるテーパ部と、テーパ部の先端側において光検出部近傍まで略一定の幅で延びるように形成される先端部とを有する。このように構成すれば、先細るテーパ部により光検出部側に導いた光を、先端部により光検出部まで確実に到達させることができるので、検出対象物により反射された光のうち光検出部により受光される光の割合をより一層増加させることができる。
【００１７】
上記一の局面によるプロジェクタにおいて、好ましくは、表示ボタン部を位置決めするとともに、表示ボタン部を保持するための保持部をさらに備え、表示ボタン部は、検出対象物により押圧されることにより押圧方向に移動するように構成されており、表示ボタン部は、表示ボタン部に一体的に形成されるとともに、保持部と嵌合することにより保持部に対して位置決めされるための嵌合部をさらに含む。このように構成すれば、保持部に対して位置決めされるための嵌合部を表示ボタン部に設けることによって、表示ボタン部を所定の位置に確実に配置することができるので、投影部により投影される画像を確実に所定の位置に投影することができる。また、表示ボタン部に一体的に嵌合部を形成することによって、これによっても、プロジェクタの部品点数が増加することを抑制することができる。
【００１８】
この場合、好ましくは、表示ボタン部が押圧方向に移動される前の押圧待機状態において、光検出部による検出結果に基づいて検出対象物の画像上の検出位置を検出するように構成されており、表示ボタン部は、表示ボタン部の押圧状態において位置決めされることなく、押圧待機状態において、保持部と嵌合部とが嵌合することにより保持部に対して位置決めされるように構成されている。このように構成すれば、押圧待機状態において位置決めするのみで、光検出部による検出結果に基づいて検出対象物の画像上の検出位置を精度良く検出することができるので、押圧状態における位置決めが必要ない分、プロジェクタの構成を簡素にすることができる。
【発明の効果】
【００１９】
本発明によれば、上記のように、光検出部において受光量が十分に得られないことに起因して検出不良が起こるのを抑制することが可能なプロジェクタを提供することができる。
【図面の簡単な説明】
【００２０】
【図１】本発明の第１実施形態によるプロジェクタユニットを備える遊技機の全体構成を示す斜視図である。
【図２】本発明の第１実施形態によるプロジェクタユニットのカバー部を外した状態を示す斜視図である。
【図３】本発明の第１実施形態によるプロジェクタユニットの表示ボタン部および保持部の分解斜視図である。
【図４】図２の１１０−１１０線に沿った模式的な断面図である。
【図５】本発明の第１実施形態によるプロジェクタユニットの構成を示すブロック図である。
【図６】本発明の第２実施形態によるプロジェクタユニットの模式的な断面図である。
【図７】本発明の第３実施形態によるプロジェクタユニットの模式的な断面図である。
【図８】本発明の第３実施形態によるプロジェクタユニットの集光部の拡大斜視図である。
【図９】本発明の第４実施形態によるプロジェクタユニットの表示ボタン部の拡大平面図である。
【図１０】本発明の第４実施形態によるプロジェクタユニットの表示ボタン部の押圧待機状態における模式的な断面図である。
【図１１】本発明の第４実施形態によるプロジェクタユニットの表示ボタン部の押圧状態における模式的な断面図である。
【図１２】本発明の第４実施形態の第１変形例による表示ボタン部の模式的な断面図である。
【図１３】本発明の第４実施形態の第２変形例による表示ボタン部の模式的な断面図である。
【図１４】本発明の第４実施形態の第３変形例による表示ボタン部の模式的な断面図である。
【発明を実施するための形態】
【００２１】
以下、本発明を具体化した実施形態を図面に基づいて説明する。
【００２２】
（第１実施形態）
図１〜図５を参照して、本発明の第１実施形態によるプロジェクタユニット１００を備える遊技機６００の構成について説明する。なお、プロジェクタユニット１００は、本発明の「プロジェクタ」の一例である。
【００２３】
遊技機６００は、図１に示すように、遊技ユニット５００の遊技領域５００ａにおいて、図示しない表示部や障害釘などが形成されるとともに、遊技領域５００ａを遊技球が流下することにより様々な演出がなされて、ユーザに所定の遊技価値を提供する遊技機である。
【００２４】
そして、本発明の第１実施形態によるプロジェクタユニット１００は、図１に示すように、遊技ユニット５００の前面側（Ｘ１方向側）に取付されて、遊技ユニット５００と共に遊技機６００を構成するためのユニットである。以下、プロジェクタユニット１００の構成について説明する。
【００２５】
プロジェクタユニット１００は、図２および図４に示すように、画像を投影する投影部１０と、投影部１０により画像が投影されるとともに、検出対象物（ユーザの指）９０により押圧されることにより押圧方向（Ｐ方向）に移動可能な表示ボタン部２０と、表示ボタン部２０を移動可能に保持する保持部３０と、表示ボタン部２０を操作する検出対象物９０により反射された光を検出する光検出部４０とを備えている。また、プロジェクタユニット１００は、光検出部４０による検出結果に基づいて検出対象物９０の画像上の検出位置を検出するように構成されている。また、プロジェクタユニット１００は、図示しないフォトインタラプタなどの非接触式の押下検出部により、表示ボタン部２０の押下（押圧）を検出するように構成されている。
【００２６】
また、プロジェクタユニット１００は、検出対象物９０による表示ボタン部２０の操作に応じて所定の処理を実行するように構成されている。具体的には、プロジェクタユニット１００は、検出対象物９０による表示ボタン部２０の押圧（押下）操作、および、検出対象物９０による表示ボタン部２０に表示（投影）される画像のタッチ操作に応じて、所定の処理を実行するように構成されている。
【００２７】
また、プロジェクタユニット１００では、投影部１０と、表示ボタン部２０と、保持部３０と、光検出部４０とが筐体５０の内部に配置されている。
【００２８】
筐体５０は、図１および図２に示すように、プロジェクタユニット１００の外形を形成している。また、筐体５０は、投影部１０と、表示ボタン部２０と、保持部３０と、光検出部４０とを上方側（Ｚ１方向側）から覆うカバー部材５１と、表示ボタン部２０と、保持部３０と、光検出部４０とを収納するための台座部５２とにより構成されている。また、カバー部材５１は、上面（Ｚ１方向側の面）の一部が表示ボタン部２０の後述する押圧部２１と対応する形状（平面視で略楕円形状）に開口が設けられているとともに、表示部ボタン部２０の押圧部２１がこの開口を介して筐体５０の上方側（Ｚ１方向側）において外部に露出するように構成されている。
【００２９】
次に、図２〜図５を参照して、主に投影部１０、表示ボタン部２０、保持部３０および光検出部４０の具体的な構成要素について説明する。その後、図４を参照して、プロジェクタユニット１００の投影部１０による画像の投影動作および光検出部による光の検出動作について説明する。
【００３０】
投影部１０は、図５に示すように、３つ（青（Ｂ）、緑（Ｇ）、赤（Ｒ））のレーザ光源１１（１１ａ、１１ｂおよび１１ｃ）と、２つのビームスプリッタ１２（１２ａおよび１２ｂ）と、レンズ１３と、レーザ光走査部１４と、映像処理部１５と、光源制御部１６と、ＬＤ(レーザダイオード)ドライバ１７と、ミラー制御部１８と、ミラードライバ１９とを含んでいる。また、投影部１０は、映像処理部１５に入力された映像信号に基づいて、レーザ光走査部１４によりレーザ光を反射ミラー６０に走査するように構成されている。
【００３１】
反射ミラー６０は、レーザ光走査部１４により走査されたレーザ光を表示ボタン部２０の後述するスクリーン２４側（Ｚ１方向側）に向けて反射するためのミラーである。また、反射ミラー６０は、レーザ光をスクリーン２４に向けて反射可能なように投影部１０に対して所定の角度に調整された状態で、投影部１０の外部に配置されている。
【００３２】
そして、反射ミラー６０により反射されたレーザ光がスクリーン２４に投影される。このように、反射ミラー６０により画像を形成する光を反射させることにより、スクリーン２４に対してレーザ光を直接投影する場合と比べて、投影部１０からスクリーン２４までの光路を長くすることができるので、プロジェクタユニット１００が大型化することを抑制しながら、スクリーン２４に投影される画像の大きさを大きくすることが可能である。
【００３３】
レーザ光源１１ａは、青色のレーザ光をビームスプリッタ１２ａおよびレンズ１３を通過させてレーザ光走査部１４に照射するように構成されている。レーザ光源１１ｂおよび１１ｃは、それぞれ、緑色のレーザ光および赤色のレーザ光をビームスプリッタ１２ｂ、１２ａおよびレンズ１３を通過させてレーザ光走査部１４に照射するように構成されている。
【００３４】
レーザ光走査部１４は、ＭＥＭＳ（Ｍｉｃｒｏ  Ｅｌｅｃｔｒｏ  Ｍｅｃｈａｎｉｃａｌ  Ｓｙｓｔｅｍ）ミラーにより構成されている。また、レーザ光走査部１４は、レーザ光源１１から照射されたレーザ光をＭＥＭＳミラーにより反射させて、レーザ光を反射ミラー６０に対して走査するように構成されている。
【００３５】
映像処理部１５は、外部から入力される映像信号に基づいて、映像の投影を制御するように構成されている。具体的には、映像処理部１５は、外部から入力される映像信号に基づいて、ミラー制御部１８を介して、レーザ光走査部１４の駆動を制御するとともに、光源制御部１６を介して、レーザ光源１１ａ〜１１ｃによるレーザ光の照射を制御するように構成されている。
【００３６】
光源制御部１６は、映像処理部１５による制御に基づいて、ＬＤドライバ１７を制御して、レーザ光源１１ａ〜１１ｃによるレーザ光の照射を制御するように構成されている。具体的には、光源制御部１６は、レーザ光走査部１４が走査するタイミングに合せて投影画像の各画素に対応する色のレーザ光をレーザ光源１１ａ〜１１ｃから照射させる制御を行うように構成されている。
【００３７】
ミラー制御部１８は、映像処理部１５による制御に基づいて、ミラードライバ１９を制御して、レーザ光走査部１４の駆動を制御するように構成されている。
【００３８】
表示ボタン部２０は、図１〜図４に示すように、樹脂（ポリカーボネート）により成型されている。また、表示ボタン部２０は、上方側（Ｚ１方向側）が覆われた略筒型の形状を有しており、投影部１０により投影される光（画像を形成するレーザ光）が内部を通過可能に構成されている。具体的には、表示ボタン部２０は、平面視で略楕円形状の押圧部２１と、略楕円形状の押圧部２１の外周縁から押圧方向（Ｐ方向）に沿って延びるように形成される押圧ガイド部２２と、押圧ガイド部２２と一体的に形成されるとともに、押圧ガイド部２２から連続して押圧方向側にさらに延びるように形成されている光方向制御部２３とを含んでいる。表示ボタン部２０では、押圧部２１と押圧ガイド部２２と光方向制御部２３とが一体的に設けられている。なお、押圧部２１は、本発明の「透光性押圧部」の一例である。
【００３９】
また、表示ボタン部２０は、投影部１０により投影される画像が投影されるスクリーン２４を含んでいる。スクリーン２４は、押圧部２１の裏面側（Ｐ方向側）に配置されている。
【００４０】
表示ボタン部２０では、押圧部２１は、無色透明になるように形成されている。すなわち、押圧部２１は、スクリーン２４に表示される画像を視認可能なように透光性を有するように構成されている。したがって、表示ボタン部２０では、スクリーン２４に表示（投影）される画像が押圧部２１を介してユーザにより視認される。また、表示ボタン部２０では、検出対象物９０により押圧部２１が押圧されることにより、押圧方向（Ｐ方向）に移動可能に構成されている。また、表示ボタン部２０は、図示しない付勢部材により押圧方向とは反対の方向に付勢されており、押圧部２１が押圧された場合には、押圧方向に移動して押圧状態になるとともに、押圧が解除された場合には、押圧方向に移動される前の押圧待機状態に戻るように構成されている。
【００４１】
表示ボタン部２０では、押圧ガイド部２２は、表示ボタン部２０の押圧方向（Ｐ方向）への移動をガイドするために設けられている。具体的には、押圧ガイド部２２は、押圧ガイド部２２の外側面が保持部３０の後述する開口部３０ａの内側面と隣接するように配置されており、表示ボタン部２０が押圧された場合には、押圧ガイド部２２の外側面が保持部材３０の内側面に沿って押圧方向に移動するように構成されている。これにより、押圧ガイド部２２は、表示ボタン部２０の押圧方向（Ｐ方向）への移動をガイドするように構成されている。
【００４２】
ここで、第１実施形態では、表示ボタン部２０において、光方向制御部２３は、検出対象物９０により反射された光（図４で模式的に示すＬ１およびＬ２）が光検出部４０に向かう方向とは異なる方向に向かうことを抑制して、検出対象物９０により反射された光を光検出部４０に導くために設けられている。すなわち、光方向制御部２３は、図４に示すように、光検出部４０に向かう方向とは異なる方向に向かう光であるＬ２を反射させて、検出対象物９０により反射された光を光検出部４０に導くために設けられている。
【００４３】
また、第１実施形態では、光方向制御部２３は、押圧ガイド部２２と一体的に形成されるとともに、押圧ガイド部２２から押圧方向（Ｐ方向）に沿うように押圧方向側（Ｐ方向側）に向かって延びるように形成されている。また、押圧ガイド部２２および光方向制御部２３は、略楕円形状の押圧部２１の外周縁に沿うように形成されている。すなわち、押圧ガイド部２２および光方向制御部２３は、押圧部２１の外周縁から押圧方向側に向かって延びる平面視で略楕円形状を有する周状に形成されている。また、周状の押圧ガイド部２２および光方向制御部２３は、Ｐ方向側とは反対側から見た平面視で光検出部４０を囲うように配置されている。つまり、平面視で、光検出部４０は、周状の押圧ガイド部２２および光方向制御部２３の内側に位置するように配置されている。
【００４４】
周状の押圧ガイド部２２および光方向制御部２３は、光検出部４０の近傍まで延びるように形成されている。具体的には、光方向制御部２３は、光検出部４０側（Ｘ２方向側）の端部が光検出部４０の近傍まで延びるように形成されている。
【００４５】
また、周状の押圧ガイド部２２および光方向制御部２３は、検出対象物９０により反射された光を反射して、検出対象物９０により反射された光を光検出部４０に導く反射面２０ａを有している。反射面２０ａは、周状の押圧ガイド部２２および光方向制御部２３の内側面の全領域にわたって形成されている。また、反射面２０ａは、光を反射するのに適した白色を有するように形成されている。これにより、光方向制御部２３の反射面２０ａにおいて光の反射が促進される。
【００４６】
表示ボタン部２０では、スクリーン２４は、投影部１０により画像が投影されることにより、画像を表示するように構成されている。また、スクリーン２４は、略楕円形状の押圧部２１よりも若干小さい同一の形状（略楕円形状）を有している。したがって、表示ボタン部２０では、スクリーン２４に投影された画像は、押圧部２１の上面の全領域にわたって画像が表示されているように見える。また、スクリーン２０は、押圧部２１の裏面側（Ｐ方向側）において表示ボタン部２０のスクリーン支持部２５により支持されている。
【００４７】
保持部３０は、図２〜図４に示すように、図示しない保持機構により表示ボタン部２０を所定の位置（押圧待機状態の位置）に保持するように構成されている。具体的には、保持部３０では、平面視で略楕円形状の開口部３０ａ（図３参照）に表示ボタン部２０が嵌合された後、所定の位置において表示ボタン部２０が保持される。また、保持部３０では、表示ボタン部２０は、押圧方向（Ｐ方向）に移動可能なように保持されている。
【００４８】
光検出部４０は、図４に示すように、回路基板４１の表面上に配置されている。回路基板４１は、光検出部４０による光の検出信号を伝達するように配線された回路基板である。また、回路基板４１は、異物の侵入を防ぐための基板カバー部４２により覆われている。基板カバー部４２は、光検出部４０による光の検出を妨げないように、光検出部４０を露出させるように回路基板４１を覆っている。
【００４９】
また、光検出部４０は、筐体５０の内部において、表示ボタン部２０に対して押圧方向側（Ｐ方向側）に配置されている。また、光検出部４０は、投影部１０により投影される画像を形成する光の広がる広がり領域Ｒ（投影光を模式的に示す破線により示す）よりも外側（Ｘ２方向側）で、かつ、光方向制御部２３の光検出部４０側（Ｘ２方向側）の端部よりも内側（Ｘ１方向側）に配置されている。ここで、広がり領域Ｒとは、広がりを有する投影光の最も外側の光の軌跡により形成される領域のことである。
【００５０】
また、プロジェクタユニット１００では、光検出部４０および投影部１０は、台座部５２に取り付けられる支持部材７０により支持されている。支持部材７０は、光検出部４０や、投影部１０などのプロジェクタ１００の筐体５０の内部に配置される構成要素を支持するための部材である。光検出部４０および投影部１０は、支持部材７０に支持された状態で、上方側（Ｚ１方向側）から下方側（Ｚ２方向側）に向かってこの順に並んで配置されている。
【００５１】
次に、図４を参照して、プロジェクタユニット１００の投影部１０による画像の投影動作および光検出部による光の検出動作について説明する。
【００５２】
プロジェクタユニット１００では、図４に示すように、投影部１０から反射ミラー６０に対して画像を形成するレーザ光（投影光）が走査される。そして、反射ミラー６０により反射された投影光が表示ボタン部２０のスクリーン２４に投影されて、スクリーン２４に画像が表示される。この際、ユーザは、透光性を有する押圧部２１を介してスクリーン２４に表示された画像を視認する。
【００５３】
そして、所定の遊技情報（ボタンを押せ、画像をタッチせよなどの情報）が提供されてユーザにより表示ボタン部２４を操作する必要がある場合には、ユーザの指である検出対象物９０により表示ボタン部２０が操作される。具体的には、ユーザは、透光性を有する押圧部２１の上面（Ｚ１方向側の面）を押圧することにより、スクリーン２４に表示された画像の所定の位置をタッチ操作するとともに、表示ボタン部２０を押圧方向（Ｐ方向）に押圧操作する。これにより、表示ボタン部２０が押圧待機状態の位置（二点鎖線で示す）から、押圧状態の位置に移動される。
【００５４】
また、この際、ユーザの指である検出対象物９０により投影光が反射される。ここで、反射光Ｌ１のように、光検出部４０に向かう方向に反射された光は、略筒状の表示ボタン部２０の内部を通過して、検出対象物９０以外には反射されることなく、光検出部４０に到達する。
【００５５】
一方、反射光Ｌ２のように、光検出部４０に向かう方向とは異なる方向に反射された光は、光方向制御部２３の反射面２０ａにより反射されて、光検出部４０に導かれる。これにより、光方向制御部２３により反射光Ｌ２が光検出部４０に向かう方向とは異なる方向に向かうことが抑制される。
【００５６】
そして、プロジェクタユニット１００では、光検出部４０による検出結果に基づいて検出対象物９０の画像上の検出位置（タッチ位置）が検出される。
【００５７】
そして、プロジェクタユニット１００では、検出対象物９０による表示ボタン部２０の押圧（押下）操作、および、検出対象物９０による表示ボタン部２０に表示（投影）される画像のタッチ操作に応じて、所定の処理が実行される。
【００５８】
第１実施形態では、以下のような効果を得ることができる。
【００５９】
第１実施形態では、上記のように、検出対象物９０により反射された光が光検出部４０に向かう方向とは異なる方向に向かうことを抑制して、検出対象物９０により反射された光を光検出部４０に導くための光方向制御部２３を表示ボタン部２０に一体的に形成することによって、投影部１０により画像が投影される表示ボタン部２０に一体的に形成した光方向制御部２３を利用して、プロジェクタユニット１００の部品点数が増加することを抑制しながら、検出対象物９０により反射された光が光検出部４０に向かう方向とは異なる方向に向かうことを抑制することができる。その結果、検出対象物９０により反射された光を光検出部４０に導くことができるので、検出対象物９０により反射された光のうち光検出部４０により受光される光の割合を増加させることができる。これにより、光検出部４０において受光量が十分に得られないことに起因して、検出不良が起こるのを抑制することができる。
【００６０】
また、この第１実施形態プロジェクタユニット１００のように、検出対象物９０により反射された光は、実際上、複数の部材（第１実施形態では、押圧部２１およびスクリーン２４）を透過することにより減衰された後、光検出部４０により検出される。したがって、光方向制御部２３を設けて、検出対象物９０により反射された光のうち光検出部４０により受光される光の割合を増加させることは、実際上、極めて効果的である。
【００６１】
また、第１実施形態では、上記のように、検出対象物９０により反射された光を反射して、検出対象物９０により反射された光を光検出部４０に導く反射面２０ａを表示ボタン部２０の光方向制御部２３に設ける。これにより、光方向制御部２３の反射面２０ａにおいて検出対象物９０により反射された光を反射させるだけで、検出対象物９０により反射された光を光検出部４０に導くことができるので、レンズなどの光学部材を別途用いて光を導く構成と異なり、簡素な構成で検出対象物９０により反射された光のうち光検出部４０により受光される光の割合を増加させることができる。
【００６２】
また、第１実施形態では、上記のように、反射面２０ａを有する光方向制御部２３に加えて、検出対象物９０により押圧されるとともに、投影部１０により投影される画像を視認可能なように透光性を有する押圧部２１を表示ボタン部２０に設ける。これにより、光方向制御部２３と押圧部２１とが一体的に設けられた表示ボタン部２０により、部品点数が増加するのを抑制しながら、表示ボタン部２０の光方向制御部２３では、反射面２０ａにおいて検出対象物９０により反射された光を反射させて光を光検出部４０に導くことができるとともに、表示ボタン部２０の押圧部２１では、投影部１０により投影される画像を形成する光を透光させて、透光性を有する押圧部２１を介して画像をユーザに対して容易に視認させることができる。
【００６３】
また、第１実施形態では、上記のように、検出対象物９０により押圧されることにより押圧方向（Ｐ方向）に移動するように表示ボタン部２０を構成する。そして、光検出部４０の配置される押圧方向側に向かって延びるように光方向制御部２３を形成する。これにより、光方向制御部２３が光検出部４０の配置される押圧方向側に向かって延びる分、検出対象物９０により反射された光が光検出部４０に向かう方向とは異なる方向に向かうことを確実に抑制することができるので、検出対象物９０により反射された光を光検出部４０に確実に導くことができる。
【００６４】
また、第１実施形態では、上記のように、押圧方向（Ｐ方向）に沿って延びるように形成されるとともに、押圧方向への移動をガイドするための押圧ガイド部２２を表示ボタン部２０に設ける。そして、押圧ガイド部２２と一体的に形成されるとともに、押圧ガイド部２２から押圧方向側に向かって延びるように光方向制御部２３を形成する。これにより、押圧方向に沿って延びるように形成される押圧ガイド部２２から、光方向制御部２３がさらに押圧方向側に延びる分、検出対象物９０により反射された光が光検出部４０に向かう方向とは異なる方向に向かうことをより広範囲に抑制することができるので、検出対象物９０により反射された光を光検出部４０により確実に導くことができる。
【００６５】
また、第１実施形態では、上記のように、光検出部４０の配置される押圧方向側（Ｐ方向側）に向かって延びるとともに、平面視で光検出部４０を囲う周状に表示ボタン部２０の光方向制御部２３を形成する。これにより、光検出部４０が平面視で周状に囲われていない場合と比べて、検出対象物９０により反射された光が光検出部４０に向かう方向とは異なる方向に向かうことを確実に抑制することができる。その結果、検出対象物９０により反射された光を光検出部４０側に確実に導くことができるので、検出対象物９０により反射された光のうち光検出部４０により受光される光の割合を確実に増加させることができる。
【００６６】
また、第１実施形態では、上記のように、光検出部４０側（Ｘ２方向側）の端部が光検出部４０近傍まで延びるように周状の光方向制御部２３を形成する。これにより、光方向制御部２３の光検出部４０側（Ｘ２方向側）の端部が光検出部４０近傍まで延びる分、検出対象物９０により反射された光を光検出部４０側により一層確実に導くことができる。
【００６７】
（第２実施形態）
次に、図６を参照して、第２実施形態について説明する。この第２実施形態では、上記第１実施形態とは異なり、表示ボタン部１２０の光方向制御部１２３が光検出部４０の配置される押圧方向側（Ｐ方向側）に向かって先細るテーパ状に形成される例について説明する。
【００６８】
本発明の第２実施形態によるプロジェクタユニット２００は、図６に示すように、光検出部４０の配置される押圧方向側（Ｐ方向側）に向かって延びるとともに、徐々に先細るテーパ状に形成される光方向制御部１２３を含む表示ボタン部１２０を備えている。なお、上記第１実施形態と同一の機能を有する構成については、同じ符号を付してその説明を省略する。また、プロジェクタユニット２００は、本発明の「プロジェクタ」の一例である。
【００６９】
第２実施形態では、上記第１実施形態と同様に、光方向制御部１２３は、押圧ガイド部２２と一体的に形成されている。また、光方向制御部１２３は、押圧ガイド部２２から押圧方向側（Ｐ方向側）に向かって徐々に先細るテーパ状に形成されている。すなわち、押圧ガイド部２２は、略一定の幅（略楕円形状の長径および短径）を有する周状に形成されているとともに、光方向制御部１２３は、押圧方向側（Ｐ方向側）に延びるにつれて徐々に幅が小さくなる周状に形成されている。すなわち、光方向制御部１２３では、押圧方向側の外周縁により囲まれる領域の面積が押圧ガイド部２２側の外周縁により囲まれる領域の面積よりも小さくなっている。
【００７０】
また、光方向制御部１２３は、光検出部４０側（Ｘ２方向側）の端部が光検出部４０の近傍まで延びるように形成されている。また、光方向制御部１２３は、光検出部４０側とは反対側（Ｘ１方向側）の端部が投影部１０により投影される画像を形成する光の広がる広がり領域Ｒの近傍まで延びるように形成されている。一方、光方向制御部１２３は、押圧待機状態および押圧状態のいずれの状態においても、広がり領域Ｒの内側まで延びないように形成されている。これにより、光方向制御部１２３をテーパ状に形成する場合にも、投影光が光方向制御部１２３により遮られることがない。
【００７１】
また、第２実施形態においても、上記第１実施形態と同様に、光検出部４０は、光検出部４０は、投影部１０により投影される画像を形成する光の広がる広がり領域Ｒ（投影光を模式的に示す破線により示す）よりも外側（Ｘ２方向側）で、かつ、光方向制御部１２３の光検出部４０側（Ｘ２方向側）の端部よりも内側（Ｘ１方向側）に配置されている。
【００７２】
なお、第２実施形態のその他の構成は、上記第１実施形態と同様である。
【００７３】
第２実施形態では、以下のような効果を得ることができる。
【００７４】
第２実施形態では、上記のように、周状の光方向制御部１２３は、光検出部４０の配置される押圧方向側（Ｐ方向側）に向かって先細るテーパ状に形成されている。これによっても、上記第１実施形態と同様に、光検出部４０において受光量が十分に得られないことに起因して、検出不良が起こるのを抑制することができる。さらに、光検出部４０の配置される押圧方向側において光方向制御部１２３の外周縁を小さくすることができるので、検出対象物９０により反射された光が光検出部４０に向かう方向とは異なる方向に向かうことをより確実に抑制することができる。したがって、検出対象物９０により反射された光を光検出部４０側により確実に導くことができるので、検出対象物９０により反射された光のうち光検出部４０により受光される光の割合をより確実に増加させることができる。
【００７５】
なお、第２実施形態のその他の効果は、上記第１実施形態と同様である。
【００７６】
（第３実施形態）
次に、図７および図８を参照して、第３実施形態について説明する。この第３実施形態では、上記第２実施形態の構成に加えて、光方向制御部２２３に集光のための集光部２２６が設けられる例について説明する。なお、集光部２２６は、本発明の「光方向制御部」の一例である。
【００７７】
本発明の第３実施形態によるプロジェクタユニット３００は、図７に示すように、光検出部４０の配置される押圧方向側（Ｐ方向側）に向かって延びるとともに、徐々に先細るテーパ状に形成される光方向制御部２２３を含む表示ボタン部２２０を備えている。なお、上記第１および第２実施形態と同一の構成については、同じ符号を付してその説明を省略する。また、プロジェクタユニット３００は、本発明の「プロジェクタ」の一例である。
【００７８】
第３実施形態では、上記第２実施形態とは異なり、光方向制御部２２３には、光方向制御部２２３により光検出部４０に向かう方向とは異なる方向に向かうことが抑制された光を集光するための集光部２２６が設けられている。集光部２２６は、光方向制御部２２３の光検出部４０側（Ｘ２方向側）の外側面において、光方向制御部２２３と一体的に設けられている。
【００７９】
また、第３実施形態では、集光部２２６は、図７および図８に示すように、光検出部４０の配置される押圧方向側（Ｐ方向側）に向かって先細るテーパ状に形成されるテーパ部２２６ａと、テーパ部２２６ａの先端側（押圧方向側、Ｐ方向側）において光検出部４０近傍まで略一定の幅で延びるように形成される先端部２２６ｂとを有している。
【００８０】
具体的には、集光部２２６は、逆四角錐台状のテーパ部２２６ａと、四角柱状の先端部２２６ｂとが、テーパ部２２６ａの先端側において結合された形状を有している。また、集光部２２６では、テーパ部２２６ａおよび先端部２２６ｂは、内部において光を通過させるために略筒状に形成されている。
【００８１】
集光部２２６では、四角柱状の先端部２２６ｂは、光検出部４０の上面に形成される略矩形形状の受光面よりも平面視で若干大きい略矩形形状を有するように形成されている。これにより、集光された光を光検出部４０に対して確実に到達させることが可能である。また、先端部２２６ｂは、表示ボタン部２２０の押圧待機状態において、先端部２２６ｂの光検出部４０側の端部と光検出部４０との間に所定の距離を有するように配置されている。すなわち、先端部２２６ｂは、表示ボタン部２２０の押圧状態において、光検出部４０と最も近接する場合にも、光検出部４０と干渉（衝突）しないように配置されている。なお、図７では、表示ボタン部２２０の押圧状態を、図８では、押圧待機状態を示している。
【００８２】
また、集光部２２６は、テーパ部２２６ａの押圧方向側（Ｐ方向側）とは反対側において、開口部２２６ｃが形成されている。そして、集光部２２６は、この開口部２２６ｃにおいて、光方向制御部２２３の外側面と結合されている。図８では、理解の容易のために、集光部２２６のみを示しているものの、集光部２２６の開口部２２６ｃは、図７に示すように、光方向制御部２２３と一体的（連続的）に形成されている。これにより、集光部２２６では、開口部２２６ｃを介して、光方向制御部２２３により光検出部４０に向かう方向とは異なる方向に向かうことが抑制された光（図７に模式的に示すＬ２）が集光部２２６の内部に集光される。
【００８３】
そして、図７に示すように、開口部２２６ｃを介して集光部２２６内部に集光された光がテーパ部２２６ａおよび先端部２２６ｂを通過して、光検出部４０に導かれる。
【００８４】
なお、第３実施形態のその他の構成は、上記第２実施形態と同様である。
【００８５】
第３実施形態では、以下のような効果を得ることができる。
【００８６】
第３実施形態では、上記のように、表示ボタン部２２０に光方向制御部２２３を設けることによって、上記第１実施形態と同様に、光検出部４０において受光量が十分に得られないことに起因して、検出不良が起こるのを抑制することができる。
【００８７】
また、第３実施形態では、上記のように、光検出部４０の配置される押圧方向側（Ｐ方向側）に向かって先細るテーパ状に形成されるテーパ部２２６ａと、テーパ部２２６ａの先端側において光検出部４０近傍まで略一定の幅で延びるように形成される先端部２２６ｂとを有する集光部２２６を周状の光方向制御部２２３に設ける。これにより、光方向制御部２２３により光検出部４０に向かう方向とは異なる方向に向かうことが抑制された光を集光部２２６の先細るテーパ部２２６ａにより光検出部４０側にさらに導くとともに、集光部２２６の先端部２２６ｂにより光検出部４０まで確実に到達させることができるので、検出対象物９０により反射された光のうち光検出部４０により受光される光の割合をより一層増加させることができる。また、先端部２２６ｂを略一定の幅で延びるように形成することによって、テーパ状に形成されているテーパ部２２６ａに比べて、集光部２２６の内部において、押圧方向側とは反対側に光が反射されるのを抑制することができる。その結果、光を光検出部４０までより確実に到達させることができる。
【００８８】
なお、第３実施形態のその他の効果は、上記第２実施形態と同様である。
【００８９】
（第４実施形態）
次に、図４および図９〜図１１を参照して、第４実施形態について説明する。この第４実施形態では、表示ボタン部２０に光方向制御部２３が一体的に設けられた上記第１実施形態の構成に加えて、さらに表示ボタン部３２０に位置決めのための嵌合部３２７が一体的に設けられる例について説明する。
【００９０】
本発明の第４実施形態によるプロジェクタユニット４００は、図９に示すように、位置決めのための一対の嵌合部３２７（３２７ａおよび３２７ｂ）を含む表示ボタン部３２０と、表示ボタン部３２０を位置決めするとともに、表示ボタン部３２０を保持するための保持部３３０とを備えている。なお、上記第１〜第３実施形態と同一の構成については、同じ符号を付してその説明を省略する。また、プロジェクタユニット４００は、本発明の「プロジェクタ」の一例である。
【００９１】
また、プロジェクタユニット４００は、表示ボタン部３２０が押圧方向（Ｐ方向）に移動される前の押圧待機状態（図１０参照）において、光検出部４０（図４参照）による検出結果に基づいて検出対象物９０（図４参照）の画像上の検出位置を検出するように構成されている。
【００９２】
表示ボタン部３２０は、平面視で概略楕円形状の押圧部２１の長径の両側（Ｙ２方向側およびＹ１方向側）において、各々、フランジ状の一対の嵌合部３２７ａおよび３２７ｂを有している。Ｙ２方向側の嵌合部３２７ａは、押圧部２１のＹ２方向側の端部近傍から、保持部３３０の後述する嵌合部３３１ａの側端面まで延びるように形成されている。また、Ｙ１方向側の嵌合部３２７ｂは、押圧部２１のＹ１方向側の端部近傍から、保持部３３０の後述する嵌合部３３１ｂの側端面まで延びるように形成されている。また、一対の嵌合部３２７は、各々、平面視で概略矩形形状を有している。また、表示ボタン部３２０では、一対の嵌合部３２７は押圧部２１と一体的に形成されている。
【００９３】
保持部３３０は、表示ボタン部３２０の一対の嵌合部３２７と嵌合するための一対の嵌合部３３１（３３１ａおよび３３１ｂ）を有している。Ｙ２方向側の嵌合部３３１ａは、平面視で略楕円形状の開口部３０ａから外側（Ｙ２方向側）に向かって窪む切欠き状に形成されている。また、Ｙ１方向側の嵌合部３３１ｂは、平面視で略楕円形状の開口部３０ａから外側（Ｙ１方向側）に向かって窪む切欠き状に形成されている。保持部３３０では、嵌合部３３１ａおよび３３１ｂが各々表示ボタン部３２０の嵌合部３２７ａおよび３２７ｂと嵌合することにより、表示ボタン部３２０が保持部３３０に対して前後方向（Ｘ方向）および左右方向（Ｙ方向）に位置決めされる。
【００９４】
また、保持部３３０には、図９および図１０に示すように、一対の嵌合部３３１ａおよび３３１ｂの外側の端部から内側に向かって延びる庇状の一対の移動規制部３３２（３３２ａおよび３３２ａ）が設けられている。保持部３３０では、押圧待機状態において、移動規制部３３２ａおよび３３２ａの下面（Ｐ方向側の面）が表示ボタン部３２０の嵌合部３２７ａおよび３２７ｂの上面（Ｐ方向側とは反対側の面）と当接することにより、表示ボタン部３２０が保持部３３０に対して押圧方向（Ｐ方向）とは反対の方向に移動することが規制されている。これにより、表示ボタン部３２０が保持部３３０に対して押圧方向とは反対の方向に位置決めされる。その結果、押圧待機状態では、表示ボタン部３２０が保持部３３０に対して、前後方向（Ｘ方向）、左右方向（Ｙ方向）および押圧方向とは反対の方向に位置決めされる。
【００９５】
また、一対の嵌合部３３１は、図１１に示すように、表示ボタン部３２０の押圧状態において、表示ボタン部３２０との嵌合状態が解除されるように構成されている。したがって、表示ボタン部３２０は、表示ボタン部３２０の押圧状態において位置決めされることなく、押圧待機状態においてのみ、保持部３３０と嵌合部３２７とが嵌合することにより保持部３３０に対して位置決めされるように構成されている。
【００９６】
なお、第４実施形態のその他の構成は、上記第１実施形態と同様である。
【００９７】
第４実施形態では、以下のような効果を得ることができる。
【００９８】
第４実施形態では、光方向制御部２３を表示ボタン部３２０に一体的に形成することによって、上記第１実施形態と同様に、光検出部４０において受光量が十分に得られないことに起因して、検出不良が起こるのを抑制することができる。
【００９９】
また、第４実施形態では、上記のように、表示ボタン部３２０を位置決めするように保持部３３０を構成する。そして、表示ボタン部３２０に一体的に形成されるとともに、保持部３３０と嵌合することにより保持部３３０に対して位置決めされるための嵌合部３２７を表示ボタン部３２０に設ける。これにより、保持部３３０に対して位置決めされるための嵌合部３２７を表示ボタン部３２０に設けることによって、表示ボタン部３２０を所定の位置に確実に配置することができるので、投影部１０により投影される画像を確実に所定の位置に投影することができる。また、表示ボタン部３２０に一体的に嵌合部３２７を形成することによって、これによっても、プロジェクタユニット４００の部品点数が増加することを抑制することができる。
【０１００】
また、第４実施形態では、上記のように、表示ボタン部３２０が押圧方向（Ｐ方向）に移動される前の押圧待機状態において、光検出部４０による検出結果に基づいて検出対象物９０の画像上の検出位置を検出するようにプロジェクタユニット４００を構成する。そして、表示ボタン部３２０の押圧状態において位置決めされることなく、押圧待機状態において、保持部３３０と嵌合部３２７とが嵌合することにより保持部３３０に対して位置決めされるように表示ボタン部３２０を構成する。これにより、押圧待機状態において位置決めするのみで、光検出部４０による検出結果に基づいて検出対象物９０の画像上の検出位置を精度良く検出することができるので、押圧状態における位置決めが必要ない分、プロジェクタユニット４００の構成を簡素にすることができる。
【０１０１】
なお、第４実施形態のその他の効果は、上記第１実施形態と同様である。
【０１０２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１０３】
たとえば、上記第１〜第４実施形態では、遊技機６００に本発明を適用した例を示したが、本発明はこれに限られない。本発明では、表示ボタン部を有する装置であれば、どのような装置に適用されてもよい。
【０１０４】
また、上記第１〜第４実施形態では、表示ボタン部２０（１２０、２２０、３２０）が押圧方向（Ｐ方向）に移動した例を示したが、本発明はこれに限られない。本発明では、表示ボタン部が押圧方向に移動しなくともよい。たとえば、表示ボタン部が押圧方向に移動することなく、検出対象物の表示ボタン部への接触時における反射光を光検出部により検出して所定の処理を行うような構成でもよい。
【０１０５】
また、上記第１〜第４実施形態では、保持部３０（３３０）により表示ボタン部２０（１２０、２２０、３２０）を保持した例を示したが、本発明はこれに限られない。本発明では、表示ボタン部を保持するための保持部により表示ボタン部を保持しなくともよい。たとえば、プロジェクタユニットの筐体により表示ボタン部を保持するように構成してもよい。
【０１０６】
また、上記第１および第２実施形態では、光方向制御部２３（１２３）のＸ２方向側の端部が光検出部４０の近傍まで延びるように形成された例を示したが、本発明はこれに限られない。本発明では、光方向制御部の長さは、検出対象物により反射された光が光検出部に向かう方向とは異なる方向に向かうことを抑制できれば、いずれの長さでもよい。たとえば、光方向制御部は、光検出部よりもさらに押圧方向側（Ｐ方向側）に延びるように形成されてもよい。
【０１０７】
また、上記第１〜第３実施形態では、光方向制御部２３（１２３、２２３）が周状に設けられた例を示したが、本発明はこれに限られない。本発明では、光方向制御部は周状以外の形状に設けられてもよい。たとえば、周状に設けられた場合の外周縁の一部分のみを有する形状に設けられてもよい。
【０１０８】
また、上記第１実施形態では、光方向制御部２３が白色の反射面２０ａを有した例を示したが、本発明はこれに限られない。本発明では、光を反射させることができれば、反射面は、どのような色を有していてもよい。また、反射面において、より効率的に光を反射させるために、反射面を鏡面となるように構成してもよい。
【０１０９】
また、上記第１実施形態では、押圧ガイド部２２と一体的に光方向制御部２３を形成した例を示したが、本発明はこれに限られない。本発明では、表示ボタン部の押圧方向への移動をガイドするため押圧ガイド部と一体的に光方向制御部を形成しなくともよい。たとえば、押圧ガイド部を表示ボタン部と別部材として設けるとともに、光方向制御部を表示ボタン部と一体的に形成してもよい。
【０１１０】
また、上記第４実施形態では、押圧部２１の近傍に嵌合部３２７を設けた例を示したが本発明はこれに限られない。本発明では、図１２に示す第４実施形態の第１変形例による表示ボタン部６２０のように、嵌合部６２７を押圧方向側（Ｐ方向側）に設けてもよい。すなわち、光方向制御部２３から保持部６３０の嵌合部６３１の側端面まで延びるようにフランジ状の嵌合部６２７を形成してもよい。この場合、保持部６３０の嵌合部６３１は、表示ボタン部６２０の嵌合部６２７と対応する位置に配置される。
【０１１１】
また、上記第４実施形態では、保持部３３０の一対の移動規制部３３２ａおよび３３２ｂの下面と表示ボタン部３２０の一対の嵌合部３２７ａおよび３２７ｂの上面とが当接することにより、表示ボタン部３２０が保持部３３０に対して押圧方向（Ｐ方向）とは反対の方向に移動することが規制された例を示したが、本発明はこれに限られない。本発明では、図１３に示す第４実施形態の第２変形例による保持部７３０のように、移動規制部７３２を押圧方向側とは反対側に向かって先細るテーパ状に形成するとともに、移動規制部７３２のテーパが形成された面と、表示ボタン部７２０の嵌合部７２７の上面側の側辺とが当接することにより、表示ボタン部７２０が保持部７３０に対して押圧方向（Ｐ方向）とは反対の方向に移動することが規制されてもよい。
【０１１２】
また、本発明では、図１４に示す第４実施形態の第３変形例による表示ボタン部８２０のように、嵌合部８２７を押圧方向側（Ｐ方向側）とは反対側に向かって先細るテーパ状に形成するとともに、嵌合部８２７のテーパが形成された面と、保持部８３０の移動規制部８３２の下面とが当接することにより、表示ボタン部８２０が保持部８３０に対して押圧方向とは反対の方向に移動することが規制されてもよい。
【符号の説明】
【０１１３】
１０  投影部
２０、１２０、２２０、３２０、６２０、７２０、８２０  表示ボタン部
２０ａ  反射面
２１  押圧部（透光性押圧部）
２２  押圧ガイド部
２３、１２３、２２３  光方向制御部
３０、３３０、６３０、７３０、８３０  保持部
４０  光検出部
９０  検出対象物
１００、２００、３００、４００  プロジェクタユニット（プロジェクタ）
２２６  集光部（光方向制御部）
２２６ａ  テーパ部
２２６ｂ  先端部
３２７、６２７、７２７、８２７  嵌合部
【図１】
2015152791.tif 000003
【図２】
2015152791.tif 000004
【図３】
2015152791.tif 000005
【図４】
2015152791.tif 000006
【図５】
2015152791.tif 000007
【図６】
2015152791.tif 000008
【図７】
2015152791.tif 000009
【図８】
2015152791.tif 000010
【図９】
2015152791.tif 000011
【図１０】
2015152791.tif 000012
【図１１】
2015152791.tif 000013
【図１２】
2015152791.tif 000014
【図１３】
2015152791.tif 000015
【図１４】
2015152791.tif 000016